(57)【特許請求の範囲】
【請求項１】
パネルに形成された貫通孔に嵌入可能なグロメットであって、
配線ガイド部と、
前記貫通孔の寸法よりも大きな寸法の外形を有し、前記パネルの第１の面に当接可能な当接部を有するフランジ部と、
前記配線ガイド部と前記フランジ部とを連結する錘台形状の連結部と、
を備え、
前記配線ガイド部、前記連結部、及び前記フランジ部には、配線を挿通可能な挿通孔が貫通しており、
前記連結部は、
前記貫通孔の寸法よりも大きな寸法の外形を有する突出部であって、前記パネルの前記第１の面の反対側の第２の面における貫通孔の縁部に当接可能な突出部と、
前記フランジ部と前記突出部との間に形成され、前記パネルが嵌まり込む嵌合溝と、
を有し、
前記突出部を前記パネルと平行な面で切断した断面の外形は、第１の方向の最大長さが前記第１の方向に垂直な第２の方向の最大長さよりも長い横長形状を有しており、
少なくとも前記連結部の前記突出部を含む領域は、
前記第２の方向の中央に位置する縦中央部と、
前記第１の方向の中央に位置する第１の肉厚部であって、前記挿通孔の中心に向かって突出するように前記縦中央部よりも厚く形成された第１の肉厚部と、
前記第１の肉厚部と前記縦中央部との間に前記第１の肉厚部から周方向に間隔を置いて配置される第２の肉厚部であって、前記挿通孔の中心に向かって突出するように形成された第２の肉厚部と、
を含む
ことを特徴とするグロメット。
【請求項２】
前記突出部を前記パネルに平行な面で切断した断面の外形は、前記第１の方向に延びる１対の直線と、該１対の直線の端部に接続される１対の半円とからなる長円であり、
前記第１の肉厚部は、前記１対の直線の少なくとも一部に対応する部分に形成され、
前記第２の肉厚部は、前記１対の半円の少なくとも一部に対応する部分に形成される
ことを特徴とする請求項１に記載のグロメット。
【請求項３】
前記第１の肉厚部の周方向に沿った幅は、前記第２の肉厚部の周方向に沿った幅と同じかそれよりも広いことを特徴とする請求項１又は２に記載のグロメット。
【請求項４】
前記第１の肉厚部及び前記第２の肉厚部は、前記連結部の前記突出部を含む領域から前記配線ガイド部に向かって延びていることを特徴とする請求項１から３のいずれか一項に記載のグロメット。
【請求項５】
前記少なくとも前記連結部の前記突出部を含む領域は、前記縦中央部と前記第２の肉厚部との間に該第２の肉厚部から間隔をおいて配置される第３の肉厚部であって、前記縦中央部よりも厚く形成された第３の肉厚部をさらに含むことを特徴とする請求項１から４のいずれか一項に記載のグロメット。
【請求項６】
前記連結部の外表面にはシボ加工が施されていることを特徴とする請求項１から５のいずれか一項に記載のグロメット。
【発明の詳細な説明】
【技術分野】
【０００１】
本発明は、グロメットに係り、特にパネルに形成された楕円や長円のような細長い形状の貫通孔に嵌入可能なグロメットに関するものである。
【背景技術】
【０００２】
例えば、自動車の車体パネルや電気機器のパネルに形成される貫通孔にワイヤハーネスなどの配線を挿通させる際には、パネルの貫通孔のエッジで配線が傷つくのを防止するために、パネルの貫通孔にグロメットを装着することが多い。このようなグロメットは、柔軟な材料から形成され、配線を案内する筒状の配線ガイド部と、パネルの貫通孔に嵌合される嵌合部とから構成される。このグロメットの嵌合部は、パネルの貫通孔よりも大きな外形を有するフランジ部と突出部とを有しており、このフランジ部と突出部との間にはパネルが嵌まり込む嵌合溝が形成される。このようなグロメットを変形させてパネルの貫通孔に嵌入させ、パネルを嵌合溝に嵌め込むことにより、フランジ部をパネルに密着させて貫通孔からパネルの内部（例えば車内）に水が浸入するのを防止している。
【０００３】
ここで、パネルに形成される貫通孔の形が真円であると、グロメットの取付方向が特定の方向に定まらないため、パネルに形成される貫通孔の形状及びこの貫通孔に対応するグロメットの断面の形状を楕円や長円のような細長い形状とすることがある。例えば、グロメットの嵌合部の断面の外形が長円である場合には、その断面の外形の長手方向に沿った直線部分が内側に変形しやすくなる。このようなグロメットの変形によりグロメットとパネルとの間に隙間が形成されてしまい、この隙間からパネルの内部に水が侵入し、止水性が低下することが考えられる。
【０００４】
このような止水性の低下を防止するために、グロメットの嵌合部のフランジ部の断面の外形の長手方向に沿った部分の厚さを相対的に厚くして、この部分の内側への変形量を少なくすることが提案されている（例えば、特許文献１参照）。しかしながら、このようなグロメットでは、嵌合部のフランジ部の一部の厚さを厚くしているため、フランジ部の柔軟性が低下して嵌合部全体が変形しにくくなる。したがって、グロメットをパネルの貫通孔に嵌入する際にグロメットを強い力で変形させなければならず、グロメットをパネルに取り付ける際の作業性が悪化するという弊害がある。
【０００５】
また、特許文献１に記載されているように、フランジ部の一部の厚さを厚くしてフランジ部の剛性を高くしてしまうと、グロメットをパネルの貫通孔に嵌入する際にフランジ部に隣接する突出部が非常に変形しやすくなり、この突出部の変形によりパネルをうまく嵌合溝に嵌め込むことができなくなってしまうという問題もある。
【先行技術文献】
【特許文献】
【０００６】
【特許文献１】特開平１０−３０２５６３号公報
【発明の概要】
【発明が解決しようとする課題】
【０００７】
本発明は、このような従来技術の問題点に鑑みてなされたもので、パネルに嵌入する際の作業性を悪化させることなく良好な止水性を維持することができるグロメットを提供することを目的とする。
【課題を解決するための手段】
【０００８】
本発明の一態様によれば、パネルに形成された貫通孔に嵌入可能なグロメットが提供される。このグロメットは、配線ガイド部と、上記貫通孔の寸法よりも大きな寸法の外形を有し、上記パネルの第１の面に当接可能な当接部を有するフランジ部と、上記配線ガイド部と上記フランジ部とを連結する錘台形状の連結部とを備える。上記配線ガイド部、上記連結部、及び上記フランジ部には、配線を挿通可能な挿通孔が貫通している。上記連結部は、上記貫通孔の寸法よりも大きな寸法の外形を有する突出部であって、上記パネルの上記第１の面の反対側の第２の面における貫通孔の縁部に当接可能な突出部と、上記フランジ部と上記突出部との間に形成され、上記パネルが嵌まり込む嵌合溝とを有する。上記突出部を上記パネルと平行な面で切断した断面の外形は、第１の方向の最大長さが上記第１の方向に垂直な第２の方向の最大長さよりも長い横長形状を有している。少なくとも上記連結部の上記突出部を含む領域は、上記第２の方向の中央に位置する縦中央部と、上記第１の方向の中央に位置する第１の肉厚部であって、上記挿通孔の中心に向かって突出するように上記縦中央部よりも厚く形成された第１の肉厚部と、上記第１の肉厚部と上記縦中央部との間に上記第１の肉厚部から周方向に間隔を置いて配置される第２の肉厚部であって、上記挿通孔の中心に向かって突出するように形成された第２の肉厚部とを有している。
【０００９】
このように、縦中央部よりも厚い第１の肉厚部を第１の方向の中央に形成し、縦中央部よりも厚い第２の肉厚部を第１の肉厚部と縦中央部との間に形成しているので、パネルに嵌入された状態での突出部の変形が抑制される。このため、嵌合溝に嵌合されたパネルの保持が強固となるので、パネルに対するグロメットの接触圧力の低下を防止することができ、良好な止水性を維持することができる。
【００１０】
また、第１の肉厚部と第２の肉厚部は連続しておらず周方向に間隔を置いて配置されているため、第１の肉厚部及び第２の肉厚部によりグロメットが過度に硬くなってしまうことがなく、突出部の内側への変形が許容されるので、グロメットをパネルに嵌入する際の作業性が悪化することもない。
【００１１】
また、第１の肉厚部と第２の肉厚部を突出部に形成しているため、突出部の剛性が向上し、グロメットをパネルの貫通孔に嵌入する際に突出部の過度な変形を抑制することができる。したがって、パネルを嵌合溝に嵌め込む際の作業性の悪化を防止することができる。
【００１２】
上記突出部を上記パネルに平行な面で切断した断面の外形は、上記第１の方向に延びる１対の直線と、該１対の直線の端部に接続される１対の半円とからなる長円であってもよい。この場合において、上記第１の肉厚部が、上記１対の直線の少なくとも一部に対応する部分に形成され、上記第２の肉厚部が、上記１対の半円の少なくとも一部に対応する部分に形成されることが好ましい。
【００１３】
上記第１の肉厚部の周方向に沿った幅は、上記第２の肉厚部の周方向に沿った幅と同じかそれよりも広いことが好ましい。さらに、上記第１の肉厚部及び上記第２の肉厚部は、上記連結部の上記突出部を含む領域から上記配線ガイド部に向かって延びていることが好ましい。
【００１４】
また、上記少なくとも上記連結部の上記突出部を含む領域は、上記縦中央部と上記第２の肉厚部との間に該第２の肉厚部から間隔をおいて配置される第３の肉厚部をさらに含んでいてもよい。この第３の肉厚部は、上記縦中央部よりも厚く形成される。
【００１５】
また、上記パネルの貫通孔に連結部を通すときの摩擦力を低減するように、上記連結部の外表面にシボ加工を施してもよい。
【発明の効果】
【００１６】
本発明によれば、肉厚部によりグロメットが過度に硬くなってしまうことがなく、パネルに対するグロメットの接触圧力を均一に維持することができるので、パネルに嵌入する際の作業性を悪化させることなく良好な止水性を維持することができる。
【図面の簡単な説明】
【００１７】
【図１】本発明の一実施形態におけるグロメットを示す斜視図である。
【図２】図１のグロメットの平面図である。
【図３】図１のグロメットの正面図である。
【図４】図２のＡ−Ａ線断面の一部を拡大した断面図である。
【図５】図３のＢ−Ｂ線断面の一部を拡大した断面図である。
【図６】図１のグロメットの第１の嵌合部を第１の車体パネルの貫通孔に嵌合させた状態を示す断面図である。
【図７】図３のＣ−Ｃ線断面図である。
【図８】図７の断面形状を模式的に示す図である。
【図９】本発明の他の実施形態におけるグロメットの厚さ変化部の断面形状を模式的に示す図である。
【図１０】本発明の他の実施形態におけるグロメットの厚さ変化部の断面形状を模式的に示す図である。
【発明を実施するための形態】
【００１８】
以下、本発明に係るグロメットの実施形態について図１から図１０を参照して詳細に説明する。なお、以下では、自動車などの車体パネルに形成される貫通孔に嵌入して用いられるグロメットについて説明するが、本発明は車体パネル以外のパネルに対しても適用できるものである。図１から図１０において、同一又は相当する構成要素には、同一の符号を付して重複した説明を省略する。
【００１９】
図１は本発明の一実施形態におけるグロメット１を示す斜視図、図２は平面図、図３は正面図である。図１から図３に示すように、本実施形態のグロメット１は、ワイヤハーネスなどの配線（図示せず）を案内する配線ガイド部１０，１２，１４と、第１の車体パネル（図示せず）に形成された楕円や長円などの細長い形状の貫通孔に嵌合する第１の嵌合部２０と、第２の車体パネル（図示せず）に形成された円形状の貫通孔に嵌合する第２の嵌合部２２とを備えている。配線ガイド部１０及び配線ガイド部１２は蛇腹状の管により形成されており、所望の形に屈曲できるようになっている。例えば、このようなグロメット１は、エチレンプロピレンジエンモノマ（ＥＰＤＭ）やエラストマーなどの樹脂から一体成形される。
【００２０】
第１の嵌合部２０は、第１の車体パネルの貫通孔に嵌合することによって、第１の車体パネルに対して配線ガイド部１２側（車外）から配線ガイド部１０側（車内）に水が侵入することを防止している。また、第２の嵌合部２２は、第２の車体パネルの貫通孔に嵌合することによって、第２の車体パネルに対して配線ガイド部１２側（車外）から配線ガイド部１４側（車内）に水が侵入することを防止している。このように、第１の嵌合部２０と第２の嵌合部２２との間に位置する配線ガイド部１２は、第１の車体パネルと第２の車体パネルとにより仕切られる空間の外部（車外）に配置される。
【００２１】
図４は図２のＡ−Ａ線断面のうち第１の嵌合部２０を含む部分を拡大して示す断面図、図５は図３のＢ−Ｂ線断面のうち第１の嵌合部２０を含む部分を拡大して示す断面図である。図４及び図５に示すように、第１の嵌合部２０は、第１の車体パネルを挟んで車外側に配置されるフランジ部３０と、フランジ部３０と第１の車体パネルを挟んで車内側に配置される配線ガイド部１０とを連結する連結部４０とを含んでいる。この連結部４０のフランジ部３０側の端部には第１の車体パネルを嵌合させる嵌合溝４１が形成されている。第１の嵌合部２０を第１の車体パネルの貫通孔に嵌入した際に、この嵌合溝４１に第１の車体パネルが嵌まり込むようになっている。
【００２２】
また、図４及び図５に示すように、配線ガイド部１０、連結部４０、フランジ部３０、及び配線ガイド部１２の内部には、上述した配線を挿通させる挿通孔５０が貫通している。図示はしないが、この挿通孔５０は、第２の嵌合部２２を経由して配線ガイド部１４まで延びており、このような構成によりグロメット１の全長にわたって配線を挿通させることが可能になっている。
【００２３】
図１から図５に示すように、連結部４０の外形は楕円錘台状になっており、内部に形成された挿通孔５０の断面積がフランジ部３０から配線ガイド部１０に向かって次第に小さくなっている。このため、フランジ部３０側から配線を挿入する際に、挿通孔５０の内面で配線の先端をガイドさせつつ配線ガイド部１０に導くことが可能となり、配線の挿入作業がしやすくなる。なお、連結部４０の外表面にシボ加工を施してもよい。連結部４０の外表面にシボ加工を施すことにより、グロメット１を第１の車体パネルに取り付ける際に、第１の車体パネルの貫通孔に連結部４０を通すときの摩擦力を低減することができ、第１の嵌合部２０を第１の車体パネルの貫通孔に嵌入しやすくなる。
【００２４】
図６は、第１の嵌合部２０を車体パネル５１の貫通孔に嵌合させた状態を示す断面図である。図６に示すように、フランジ部３０は、車体パネル５１の貫通孔の内周面の寸法よりも大きな寸法の外周面を有しており、車体パネル５１を嵌合溝４１に嵌合させたときに車体パネル５１の第１の面５２に当接するリップ部３２（当接部）を有している。同様に、連結部４０は、車体パネル５１を嵌合溝４１に嵌合させたときに車体パネル５１の第２の面５４（第１の面５２とは反対側の面）の貫通孔の縁部に当接する突出部４２を有している。車体パネル５１の第１の面５２は車外に面しており、第２の面５４は車内に面している。したがって、車体パネル５１を嵌合溝４１に嵌合させたときに、フランジ部３０は車体パネル５１を挟んで車外に位置し、連結部４０は車体パネル５１を挟んで車内に位置することとなる。
【００２５】
図７は、図３のＣ−Ｃ線断面図であり、連結部４０の突出部４２の一部分を車体パネル５１（図６参照）と平行な面で切断したものである。図８は、この断面を模式化して示す図である。図８に示すように、この断面の外形は、Ｙ方向の最大長さＬymaxがＺ方向の最大長さＬzmaxよりも長い横長形状を有している。より具体的には、上記断面の外形は、Ｙ方向に延びる１対の直線６１，６２と、これらの直線６１，６２の端部に接続される１対の半円６３，６４とからなる長円となっている。
【００２６】
また、図７及び図８に示すように、この突出部４２の部分４４の厚さは周方向に沿って変化している。すなわち、この突出部４２の部分４４には、配線を挿通させる挿通孔５０の中心に向かって内側に突出する複数の肉厚部が形成されている。より具体的には、この突出部４２の部分４４は、Ｙ方向の中央に位置する中央上側肉厚部７１及び中央下側肉厚部７２（第１の肉厚部）と、Ｚ方向の中央に位置する左側縦中央部７３及び右側縦中央部７４（縦中央部）と、中央上側肉厚部７１と左側縦中央部７３との間に位置する左上側肉厚部７５（第２の肉厚部）と、中央上側肉厚部７１と右側縦中央部７４との間に位置する右上側肉厚部７６（第２の肉厚部）と、中央下側肉厚部７２と左側縦中央部７３との間に位置する左下側肉厚部７７（第２の肉厚部）と、中央下側肉厚部７２と右側縦中央部７４との間に位置する右下側肉厚部７８（第２の肉厚部）とを有している。
【００２７】
左側縦中央部７３と右側縦中央部７４の厚さは略等しいが、中央上側肉厚部７１及び中央下側肉厚部７２の厚さはこれら縦中央部７３，７４の厚さよりも厚く形成されている。また、左上側肉厚部７５は、中央上側肉厚部７１と同様に、左側縦中央部７３よりも厚く形成されているが、中央上側肉厚部７１と連続しておらず、中央上側肉厚部７１から周方向に間隔を置いて配置されている。右上側肉厚部７６は、中央上側肉厚部７１と同様に、右側縦中央部７４よりも厚く形成されているが、中央上側肉厚部７１と連続しておらず、中央上側肉厚部７１から周方向に間隔を置いて配置されている。左下側肉厚部７７は、中央下側肉厚部７２と同様に、左側縦中央部７３よりも厚く形成されているが、中央下側肉厚部７２と連続しておらず、中央下側肉厚部７２から周方向に間隔を置いて配置されている。右下側肉厚部７８は、中央下側肉厚部７２と同様に、右側縦中央部７４よりも厚く形成されているが、中央下側肉厚部７２と連続しておらず、中央下側肉厚部７２から周方向に間隔を置いて配置されている。
【００２８】
本実施形態では、中央上側肉厚部７１は、図８における直線６１の少なくとも一部に対応する部分に形成されており、中央下側肉厚部７２は、直線６２の少なくとも一部に対応する部分に形成されている。また、左上側肉厚部７５及び左下側肉厚部７７は、図８における半円６３の少なくとも一部に対応する部分に形成されており、右上側肉厚部７６及び右下側肉厚部７８は、半円６４の少なくとも一部に対応する部分に形成されている。このように、本実施形態では、直線６１，６２の部分だけではなく、半円６３，６４の部分にも肉厚部が形成されているため、突出部４２の剛性がより向上する。
【００２９】
本実施形態では、中央上側肉厚部７１と中央下側肉厚部７２の厚さが略等しくなっているが、必要に応じて中央上側肉厚部７１の厚さと中央下側肉厚部７２の厚さとが異なるように構成してもよい。また、本実施形態では、肉厚部７５，７６，７７，７８の厚さが略等しくなっているが、これらについても必要に応じて異なる厚さとしてもよい。また、中央上側肉厚部７１と中央下側肉厚部７２の厚さは、肉厚部７５，７６，７７，７８の厚さと等しくてもよく、異なっていてもよい。
【００３０】
また、図４及び図５に示すように、上述した肉厚部７１，７２，７５，７６，７７，７８の周辺に丸み７９をつけるか、あるいは斜面を形成してもよい。この場合において、丸み７９や傾斜は嵌合溝４１の内側の領域にまで達していてもよい。ただし、嵌合溝４１の内側の肉厚が大きくなりすぎると、グロメット１を車体パネル５１に嵌入させるのに必要な挿入力がかなり大きくなってしまうので、嵌合溝４１の内側の肉厚を突出部４２の肉厚よりも小さくする必要がある。
【００３１】
図４及び図５に示すように、上述した肉厚部７１，７２，７５，７６，７７，７８は、連結部４０の突出部４２を含む領域から配線ガイド部１０に向かって延びていることが好ましく、配線ガイド部１０まで延びていることがより好ましい。このように肉厚部７１，７２，７５，７６，７７，７８を連続的に延ばすことにより、配線を挿通孔５０に挿通させる際に配線が肉厚部７１，７２，７５，７６，７７，７８に引っ掛かってしまうことを防止することができる。
【００３２】
上述したように、本実施形態では、縦中央部７３，７４よりも厚い中央上側肉厚部７１及び中央下側肉厚部７２をＹ方向の中央に形成し、左側縦中央部７３よりも厚い左上側肉厚部７５及び左下側肉厚部７７を左側縦中央部７３と中央上側肉厚部７１及び中央下側肉厚部７２との間にそれぞれ形成し、右側縦中央部７４よりも厚い右上側肉厚部７６及び右下側肉厚部７８を右側縦中央部７４と中央上側肉厚部７１及び中央下側肉厚部７２との間にそれぞれ形成しているので、車体パネルに嵌入された状態での突出部４２の変形（例えば、図８における長円の直線６１の部分が内側に変形すること）が抑制される。このため、嵌合溝４１に嵌合された車体パネル５１（図６参照）に対してリップ部３２を全周方向にわたって強固に当接（密着）させることができ、良好な止水性を維持することができる。
【００３３】
ここで、中央上側肉厚部７１と左上側肉厚部７５及び右上側肉厚部７６とは連続しておらず、周方向に間隔を置いて配置されている。また、中央下側肉厚部７２と左下側肉厚部７７及び右下側肉厚部７８とは連続しておらず、周方向に間隔を置いて配置されている。グロメット１を車体パネル５１に取り付ける際には、連結部４０（突出部４２）を変形させて突出部４２を車体パネル５１の貫通孔に通さなければならないが、肉厚部７１，７２，７５，７６，７７，７８の構成によりグロメット１が過度に硬くなってしまうことがなく、突出部４２の内側への変形が許容される。したがって、グロメット１を車体パネルに嵌入する際の作業性が悪化することもない。
【００３４】
また、グロメット１を車体パネル５１の貫通孔に挿入する際に変形させたグロメット１が挿入完了後に元の形状に戻らなければ、車体パネルに対する接触圧力が低下してしまい、止水性が悪くなってしまう。本実施形態では、中央上側肉厚部７１と左上側肉厚部７５及び右上側肉厚部７６とを周方向に間隔を置いて配置し、中央下側肉厚部７２と左下側肉厚部７７及び右下側肉厚部７８とを周方向に間隔を置いて配置しているため、グロメット１を変形させて車体パネル５１の貫通孔に挿入した後には、変形した中央上側肉厚部７１及び中央下側肉厚部７２が肉厚部７５，７６，７７，７８の剛性（反発力）によって元の形状に戻りやすく、良好な止水性を維持することができる。
【００３５】
上述したように、縦中央部７３，７４よりも厚い中央上側肉厚部７１及び中央下側肉厚部７２をＹ方向の中央に形成しているため、図８における長円の直線６１の部分が内側に変形することが抑制される。この中央上側肉厚部７１及び中央下側肉厚部７２の周方向の幅が小さいと、長円の直線６１の部分が変形してしまい、良好な止水性を維持することができない。一方で、中央上側肉厚部７１及び中央下側肉厚部７２を肉厚部７５，７６，７７，７８と連続させると、長円の直線６１の部分の変形を抑制することができるが、グロメット１が過度に硬くなってしまい、グロメット１を車体パネル５１に嵌入する際の作業性が悪化してしまう。本実施形態のように、縦中央部７３，７４よりも厚い中央上側肉厚部７１及び中央下側肉厚部７２をＹ方向の中央に形成し、左側縦中央部７３よりも厚い左上側肉厚部７５及び左下側肉厚部７７を左側縦中央部７３と中央上側肉厚部７１及び中央下側肉厚部７２との間にそれぞれ形成し、右側縦中央部７４よりも厚い右上側肉厚部７６及び右下側肉厚部７８を右側縦中央部７４と中央上側肉厚部７１及び中央下側肉厚部７２との間にそれぞれ形成することにより、良好な止水性を維持しつつ、グロメット１を車体パネルに嵌入する際の作業性の悪化も防止することができる。
【００３６】
また、上述した肉厚部７１，７２，７５，７６，７７，７８を突出部４２に形成することによって突出部４２の剛性が向上するため、グロメット１を車体パネル５１の貫通孔に嵌入する際に突出部４２の過度な変形を抑制することができる。したがって、車体パネル５１を嵌合溝４１に嵌め込む際の作業性の悪化を防止することができる。
【００３７】
また、本実施形態においては、中央上側肉厚部７１と中央下側肉厚部７２の周方向に沿った幅が略等しくなっているが、必要に応じて中央上側肉厚部７１の周方向に沿った幅と中央下側肉厚部７２の周方向に沿った幅とが異なるように構成してもよい。また、本実施形態では、肉厚部７５，７６，７７，７８の周方向に沿った幅が略等しくなっているが、これらについても必要に応じて異なる幅としてもよい。ここで、上述した止水性を維持する効果と作業性の悪化を防止する効果とを高めるためには、図８に示すように、中央上側肉厚部７１及び中央下側肉厚部７２の周方向に沿った幅Ｗ1を肉厚部７５，７６，７７，７８の周方向に沿った幅Ｗ2と同じかそれよりも広くすることが好ましい。
【００３８】
上述した実施形態では、突出部４２を車体パネル５１と平行な面で切断した外形が長円である場合を説明したが、この外形は、Ｙ方向の最大長さがＺ方向の最大長さよりも長い形状であればどのような形状であってもよい。例えば、図９の断面１４４に示すように、突出部４２を車体パネル５１と平行な面で切断した外形が、Ｙ方向に延びる長軸とＺ方向に延びる短軸とを有する楕円形状であってもよい。
【００３９】
また、図１０の断面２４４に示すように、突出部４２を車体パネル５１と平行な面で切断した外形が、上述した左側縦中央部７３と左上側肉厚部７５との間の領域と、右側縦中央部７４と右上側肉厚部７６との間の領域と、左側縦中央部７３と左下側肉厚部７７との間の領域と、右側縦中央部７４と右下側肉厚部７８との間の領域とに、左側縦中央部７３又は右側縦中央部７４よりも厚く形成した肉厚部８０（第３の肉厚部）を有していてもよい。図１０に示す例では、上述した４つの領域のそれぞれに肉厚部８０を形成しているが、この追加の肉厚部８０は、４つの領域のうち少なくとも１つの領域に形成することができる。このように肉厚部７１，７２，７５，７６，７７，７８に加えて肉厚部８０を形成することにより、突出部４２の剛性をより向上させ、接触圧力をより均一にすることが可能となる。
【実施例】
【００４０】
本発明に係るグロメットの性能を調べるために以下の実験を行った。まず、実施例として、本発明の第１の実施形態に係るグロメットとして述べたグロメット１を使用し、図８の断面における中央上側肉厚部７１及び中央下側肉厚部７２の周方向の幅Ｗ1を８ｍｍ、肉厚部７５，７６，７７，７８の周方向の幅Ｗ2を５ｍｍとした。また、比較例１として、図８の断面における肉厚部７１，７２，７５，７６，７７，７８がなく、縦中央部７３，７４の厚さが周方向に連続している従来のグロメットを用いた。また、比較例２として、肉厚部７１，７２のみが形成され、肉厚部７５，７６，７７，７８が形成されていないグロメットを用いた。また、比較例３として、上述の肉厚部７１，７２に加えて縦中央部７３，７４の厚さを周方向の幅８ｍｍにわたって肉厚部７１，７２と同様に厚くしたグロメットを用いた。さらに、比較例４として、全周にわたって肉厚にしたグロメット、すなわち図８の断面における肉厚部７１，７２，７５，７６，７７，７８の厚さが全周にわたって連続しているグロメットを用いた。
【００４１】
これら本発明に係るグロメット及び比較例１〜４のグロメットについて車体パネルに嵌入したときの車体パネルに対する接触圧力をシミュレーションにより解析し、接触圧力の最小値を比較した。比較に際しては、比較例１のグロメットにおける最小接触圧力を１００％として、これに対する本発明に係るグロメットの最小接触圧力の比と比較例２のグロメットの最小接触圧力の比をそれぞれ算出した。
【００４２】
また、これらのグロメットを車体パネルに嵌入した状態で、所定の距離から高圧洗車機によりパネルとグロメットの嵌合部分（フランジ部側）に所定の水圧を数秒〜数十秒間加え、車体パネルの反対側の面に水が漏れていないかを確認し、これらのグロメットの止水性を確認した。
【００４３】
さらに、これらのグロメットを車体パネルに嵌入する際の作業性を確認するために、これらのグロメットを車体パネルに嵌入させるのに必要な挿入力を測定し、所望の上限値に対する挿入力の比をそれぞれ算出した。
【００４４】
また、挿入時に変形したグロメットの変形部分（図８における長円の直線６１の部分の凹み）が挿入完了後に自然に元に戻るか否か（形状復元性）についても確認した。挿入完了後に変形により凹んだ部分の形状を整える必要がなかったものについては形状復元性ありとし、形状を整える必要があったものについては形状復元性なしとした。
【００４５】
以上のような実験を行ったところ、以下の表１に示される結果が得られた。
【表１】
0006505467.tif 000002
【００４６】
表１に示すように、比較例１及び比較例２のグロメットでは、高圧洗車時に水漏れが確認され、止水性が十分ではなく、形状復元性もないことがわかった。また、比較例３のグロメットでは、高圧洗車時の水漏れは確認されなかったが、形状復元性がないことがわかった。比較例４のグロメットでは、高圧洗車時の水漏れは確認されなかったが、車体パネルに嵌入させる際の挿入力が上限値を上回ってしまい、車体パネルへの嵌入の作業性が阻害され、形状復元性もないことがわかった。これに対して、実施例のグロメットでは、高圧洗車時の水漏れも確認されず、車体パネルに嵌入させる際の挿入力も上限値を大きく下回っており、車体パネルへの嵌入の作業性を阻害しないことがわかった。また、実施例のグロメットでは形状復元性が認められた。
【００４７】
なお、本明細書において使用した用語「縦」、「横」、「上」、「下」、「右」、「左」、その他の位置関係を示す用語は、図示した実施形態との関連において使用されているのであり、装置の相対的な位置関係によって変化するものである。
【００４８】
これまで本発明の好ましい実施形態について説明したが、本発明は上述の実施形態に限定されず、その技術的思想の範囲内において種々異なる形態にて実施されてよいことは言うまでもない。
【符号の説明】
【００４９】
１    グロメット
１０，１２，１４    配線ガイド部
２０    第１の嵌合部
２２    第２の嵌合部
３０    フランジ部
３２    リップ部（当接部）
４０    連結部
４１    嵌合溝
４２    突出部
４４    突出部の一部分
５０    挿通孔
５１    車体パネル
５２    第１の面
５４    第２の面
６１    直線
６２    直線
６３    半円
６４    半円
７１    中央上側肉厚部（第１の肉厚部）
７２    中央下側肉厚部（第１の肉厚部）
７３    左側縦中央部（縦中央部）
７４    右側縦中央部（縦中央部）
７５    左上側肉厚部（第２の肉厚部）
７６    右上側肉厚部（第２の肉厚部）
７７    左下側肉厚部（第２の肉厚部）
７８    右下側肉厚部（第２の肉厚部）
７９    丸み
８０    肉厚部（第３の肉厚部）
【図１】
0006505467.tif 000003
【図２】
0006505467.tif 000004
【図３】
0006505467.tif 000005
【図４】
0006505467.tif 000006
【図５】
0006505467.tif 000007
【図６】
0006505467.tif 000008
【図７】
0006505467.tif 000009
【図８】
0006505467.tif 000010
【図９】
0006505467.tif 000011
【図１０】
0006505467.tif 000012